(57)【要約】【課題】  ユーザの操作性を向上させることのできる無線通信装置及び無線通信方法を提供する。【解決手段】  電源ＯＮボタンが押下されると（Ｓ３０２のＹｅｓ）、赤外線通信部で電源ＯＮ信号である制御信号をコンテンツ再生装置へ送信する（Ｓ３０３）。これと共に、Ｂｌｕｅｔｏｏｔｈ通信部の起動処理も開始する。ＣＰＵは、Ｂｌｕｅｔｏｏｔｈ通信部による通信が開始したか否かを判断し（Ｓ３０４）、Ｂｌｕｅｔｏｏｔｈ通信部による通信の開始前に（Ｓ３０４のＮｏ）、ユーザからの操作入力があった場合には（Ｓ３０５Ｙｅｓ）、赤外線通信部で制御信号を送信する。【選択図】      図３
2007258984.tif 000002
【特許請求の範囲】
【請求項１】
他の装置の電源を入れる電源ＯＮ信号を含む制御信号を第１の無線通信方式で前記他の
装置に送信する第１の無線通信部と、
前記第１の無線通信部の無線通信開始後に前記他の装置と第２の無線通信方式で無線通
信し、前記第１の無線通信部で送信する制御信号の内電源ＯＮ信号以外の制御信号は少な
くとも前記他の装置に送信する第２の無線通信部と、
前記第２の無線通信部が無線通信可能となるまでの間、前記第１の無線通信部に前記他
の装置へ制御信号を送信させる制御部と
を備えることを特徴とする無線通信装置。
【請求項２】
前記第１の無線通信部は、前記第２の無線通信部よりも通信開始に要する時間が短いこ
と
を特徴とする請求項１記載の無線通信装置。
【請求項３】
前記第１の無線通信部は、前記第２の無線通信部よりも消費電力が小さく、前記第２の
無線通信部よりも指向性が強いこと
を特徴とする請求項１記載の無線通信装置。
【請求項４】
前記第２の無線通信部は、前記第１の無線通信部が前記他の装置に送信可能な制御信号
以外の制御信号も前記他の装置に送信可能であること
を特徴とする請求項１記載の無線通信装置。
【請求項５】
前記第１の無線通信部が電源ＯＮ信号を前記他の装置へ送信したことに応じて、前記第
２の無線通信部は前記他の装置と無線接続処理を開始すること
を特徴とする請求項１記載の無線通信装置。
【請求項６】
請求項１記載の無線通信装置において、
ユーザからの操作入力を受ける操作部
をさらに備え、
前記第２の無線通信部は、前記操作部への操作状況に応じて通常モードから省電力モー
ドに移行し、
前記第１の無線通信部は、前記第２の無線通信部が前記省電力モードの間に前記操作部
への入力を受けた場合に、前記他の装置へ制御信号を送信すること
を特徴とする無線通信装置。
【請求項７】
前記第１の無線通信部及び前記第２の無線通信部は、第２の無線通信部が前記省電力モ
ードの間に前記操作部への入力を受けると、同一の制御信号を前記他の装置に送信するこ
と
を特徴とする請求項６記載の無線通信装置。
【請求項８】
前記第１の無線通信部及び前記第２の無線通信部が前記他の装置に送信する各制御信号
には、同一の制御信号であるか否かを判別するための識別子を付与すること
を特徴とする請求項７記載の無線通信装置。
【請求項９】
前記第１の無線通信部は、前記他の装置と赤外線通信を行い、
前記第２の無線通信部は、前記他の装置とＢｌｕｅｔｏｏｔｈ（登録商標、以下同様）通信を行い、
前記省電力モードはＳｎｉｆｆモードであること
を特徴とする請求項６乃至請求項８のいずれか１項記載の無線通信装置。
【請求項１０】
前記第１の無線通信部及び前記第２の無線通信部は、ＡＶ／Ｃコマンドの制御信号を前
記他の装置に送信すること
を特徴とする請求項１乃至請求項９のいずれか１項記載の無線通信装置。
【請求項１１】
前記第１の無線通信部及び前記第２の無線通信部は、ポインティングデバイスによる操
作に伴う制御信号を前記他の装置に送信すること
を特徴とする請求項１０記載の無線通信装置。
【請求項１２】
無線通信装置が他の装置と無線通信する無線通信方法であって、
第１の無線通信方式により、前記他の装置に制御信号である電源ＯＮ信号を送信する電
源ＯＮステップと、
前記電源ＯＮステップの後、前記他の装置との間で第２の無線通信方式により無線接続
する無線接続ステップと、
前記第２の無線通信方式による無線接続が確立するまでの間、前記第１の無線通信方式
で前記他の装置に制御信号を送信する第１の無線通信ステップと、
前記第２の無線通信方式による無線接続確立後、前記第２の無線通信方式で前記他の装
置に制御信号を送信する第２の無線通信ステップと
を備えることを特徴とする無線通信方法。
【請求項１３】
前記第１の無線通信方式は、前記第２の無線通信方式よりも通信開始に要する時間が短
いこと
を特徴とする請求項１２記載の無線通信方法。
【請求項１４】
前記第１の無線通信方式は赤外線通信であること
を特徴とする請求項１２記載の無線通信方法。
【請求項１５】
前記第２の無線通信方式はＢｌｕｅｔｏｏｔｈ通信であり、
前記第１の無線通信ステップ及び前記第２の無線通信ステップでは、ＡＶ／Ｃコマンド
である制御信号を前記他の装置に送信すること
を特徴とする請求項１２乃至請求項１４のいずれか１項記載の無線通信方法。
【発明の詳細な説明】
【技術分野】
【０００１】
本発明は、他の装置と無線通信する無線通信装置及び無線通信方法に関する。
【背景技術】
【０００２】
近年、複数の無線通信機能を搭載している装置が考えられている（例えば、特許文献１
参照）。特許文献１には、赤外線通信モジュールと反射波モジュールとを有し、反射波モ
ジュールの起動及び停止情報を赤外線通信モジュールで送信する無線通信装置が記載され
ている。
【特許文献１】特開２００５−３３３１６９号公報
【発明の開示】
【発明が解決しようとする課題】
【０００３】
しかしながら、特許文献１記載の無線通信装置では、赤外線通信モジュールは反射波モ
ジュールの送信開始及び送信停止を示すデータを送るのみであり、他のデータを送ること
は想定していない。通常、通信モジュールは、通信が開始可能となるまでに所定時間必要
であり、特許文献１記載の手法では、赤外線通信モジュール以外のモジュールで通信を開
始するまでの間、ユーザが操作することができない可能性があった。
【０００４】
そこで本発明は、ユーザの操作性を向上させることのできる無線通信装置を提供するこ
とを目的とする。
【課題を解決するための手段】
【０００５】
上記目的を達成するために、本発明の無線通信装置は、他の装置の電源を入れる電源Ｏ
Ｎ信号を含む制御信号を第１の無線通信方式で前記他の装置に送信する第１の無線通信部
と、前記第１の無線通信部の無線通信開始後に前記他の装置と第２の無線通信方式で無線
通信し、前記第１の無線通信部で送信する制御信号の内電源ＯＮ信号以外の制御信号は少
なくとも前記他の装置に送信する第２の無線通信部と、前記第２の無線通信部が無線通信
可能となるまでの間、前記第１の無線通信部に前記他の装置へ制御信号を送信させる制御
部とを備えることを特徴とする。
【０００６】
本発明の無線通信方法は、無線通信装置が他の装置と無線通信する無線通信方法であっ
て、第１の無線通信方式により、前記他の装置に制御信号である電源ＯＮ信号を送信する
電源ＯＮステップと、前記電源ＯＮステップの後、前記他の装置との間で第２の無線通信
方式により無線接続する無線接続ステップと、前記第２の無線通信方式による無線接続が
確立するまでの間、前記第１の無線通信方式で前記他の装置に制御信号を送信する第１の
無線通信ステップと、前記第２の無線通信方式による無線接続確立後、前記第２の無線通
信方式で前記他の装置に制御信号を送信する第２の無線通信ステップとを備えることを特
徴とする。
【発明の効果】
【０００７】
本発明によれば、ユーザの操作性を向上させることのできる無線通信装置及び無線通信
方法を提供することができる。
【発明を実施するための最良の形態】
【０００８】
以下、本発明の無線通信装置及び無線通信方法について、図面を参照しながら説明する
。
【実施例１】
【０００９】
図１は、本発明の無線通信装置の実施例であるリモコンが使用される無線通信システム
の構成を示す図である。本無線通信システムは、被制御装置であり、例えばテレビ等であ
るコンテンツ再生装置１と、ユーザが操作し、コンテンツ再生装置１を制御するためのリ
モコン２とから構成される。
【００１０】
コンテンツ再生装置１は、リモコン２からの制御を受け、放送を受信して映像を表示画
面に表示したり、内蔵するＨＤＤ（Ｈａｒｄ  Ｄｉｓｋ  Ｄｒｉｖｅ）に記憶した映像デ
ータを再生して映像を表示画面に表示したりする機能を有する、ＡＶ機器である。
【００１１】
コンテンツ再生装置１は、赤外線通信及びＢｌｕｅｔｏｏｔｈ通信の２種類の無線通信
方式でリモコン２と通信を行う。つまり、コンテンツ再生装置１は、赤外線通信及びＢｌ
ｕｅｔｏｏｔｈ通信の少なくとも一方でリモコン２からの制御信号（コマンド）を受信す
る。
【００１２】
通常、Ｂｌｕｅｔｏｏｔｈ通信は開始するまでに、Ｂｌｕｅｔｏｏｔｈアドレスを取得
するインクワイアリや通信タイミングを揃える等の処理のために１０〜２０秒程度要する
。一方で、例えば、コンテンツ再生装置１がテレビである場合には、通常コンテンツ再生
装置１は数秒以下で起動処理を完了し、映像を表示する。
【００１３】
よってリモコン２は、コンテンツ再生装置１への電源ＯＮ信号（これも制御信号に含ま
れる）の送信によりコンテンツ再生装置１を起動させた後、Ｂｌｕｅｔｏｏｔｈ通信をコ
ンテンツ再生装置１と開始するまでの間は少なくとも、赤外線通信で制御信号をコンテン
ツ再生装置１へ送信する。
【００１４】
尚、本実施例での制御信号には、電源ＯＮ／ＯＦＦ、チャネルの切換、音量の上下、再
生、一時停止、早送り、巻戻し、次コンテンツ、前コンテンツ等の制御を行う信号である
ＡＶ／Ｃコマンドが含まれる。
【００１５】
ＡＶ／Ｃコマンドは、規格化グループである１３９４  Ｔｒａｄｅ  Ａｓｓｏｃｉａｔ
ｉｏｎがＡＶ機器を制御するために定義しているコマンドであり、一般の赤外線リモコン
用コマンドとして広く普及し、利用されている。また、ＡＶ／ＣコマンドはＢｌｕｅｔｏ
ｏｔｈ通信のプロファイルである、ＡＶＲＣＰ（Ａｕｄｉｏ  Ｖｉｄｅｏ  Ｒｅｍｏｔｅ
Ｃｏｎｔｒｏｌ  Ｐｒｏｆｉｌｅ）にも利用されている。即ち、コンテンツ再生装置１
及びリモコン２は、ＡＶＲＣＰによるＢｌｕｅｔｏｏｔｈ通信に対応している。
【００１６】
各ＡＶ／Ｃコマンドは、トランザクションラベルと呼ばれる、３ビットのラベルを有す
る。トランザクションラベルは、同一のコマンドであるか否かを判別するために付与され
る識別子であり、１度の操作入力毎に１インクリメント（つまり、ある操作入力に対応す
るＡＶ／Ｃコマンドのトランザクションラベルが０００である場合、次にユーザが入力し
た操作に対応するＡＶ／Ｃコマンドのトランザクションラベルは００１となる。但し、１
１１の次は０００）された値が割り当てられる。
【００１７】
尚後述するが、本実施例ではユーザによる１回の操作入力に対し、Ｂｌｕｅｔｏｏｔｈ
通信及び赤外線通信の両方で制御信号を送信する場合には、リモコン２は同一のトランザ
クションラベルを有する制御信号を送信する。
【００１８】
さらに、本実施例での制御信号には、リモコン２からのポインティングデバイスやキー
ボードによる操作に伴う信号も含まれる。即ち、カーソルの移動量やキーコードを伴う制
御信号である。これは、Ｂｌｕｅｔｏｏｔｈ通信のプロファイルである、ＨＩＤ（Ｈｕｍ
ａｎ  Ｉｎｔｅｒｆａｃｅ  Ｄｅｖｉｃｅ）に対応する（即ち、コンテンツ再生装置１及
びリモコン２は、ＨＩＤによるＢｌｕｅｔｏｏｔｈ通信に対応している）。リモコン２は
コンテンツ再生装置１へ当該カーソルの移動やキーコードを伴う制御信号を送信する。
【００１９】
即ち、本実施例のリモコン２は、ＡＶ／Ｃコマンド、ポインティングデバイス、及びキ
ーボードに係る信号を制御信号として、赤外線通信及びＢｌｕｅｔｏｏｔｈ通信の双方で
コンテンツ再生装置１に送信することができる。換言すれば、リモコン２は、赤外線通信
で送信可能な制御信号は全てＢｌｕｅｔｏｏｔｈ通信で送信可能である。
【００２０】
リモコン２は、電源ボタン２０１と、表示部２０２と、高機能ボタン２０３と、チャネ
ルボタン２０４と、再生ボタン２０５と、停止ボタン２０６と、早送りボタン２０７と、
巻戻しボタン２０８と、一時停止ボタン２０９と、次コンテンツボタン２１０と、前コン
テンツボタン２１１と、音量ボタン２１２と、タッチパッド２１３とを有する。
【００２１】
電源ボタン２０１は、コンテンツ再生装置１の電源を入れる（電源ＯＮ）、若しくは電
源を切る（電源ＯＦＦ）際にユーザが操作するボタンである。尚、リモコン２は、電源Ｏ
Ｎに係る制御信号（電源ＯＮ信号）を常に赤外線通信でコンテンツ再生装置１に送信する
。尚、電源ＯＦＦ時については、リモコン２が赤外線通信若しくはＢｌｕｅｔｏｏｔｈ通
信のいずれの通信により制御信号を送信するかは問わない。
【００２２】
表示部２０２は、例えばＬＣＤ（Ｌｉｑｕｉｄ  Ｃｒｙｓｔａｌ  Ｄｉｓｐｌａｙ）等
であり、ユーザに文字情報等を提示する。例えば、ＦＴＰ（Ｆｉｌｅ  Ｔｒａｎｓｆｅｒ
Ｐｒｏｆｉｌｅ）等によるＢｌｕｅｔｏｏｔｈ通信によりコンテンツ再生装置１から情
報を受信し、メッセージを表示する（図１の例では、表示部２０２は「メッセージが表示
されます」というメッセージを表示している）。
【００２３】
また、表示部２０２は機能表示２０２ａも表示する。リモコン２は、双方向通信である
Ｂｌｕｅｔｏｏｔｈ通信によりコンテンツ再生装置１の状態に係る情報（以下、ステータ
ス情報という）を受信し、コンテンツ再生装置１の状態に合わせて高機能ボタン２０３に
機能を割り当てる。
【００２４】
例えば、コンテンツ再生装置１が再生するコンテンツデータを選択する画面を表示して
いる場合には、リモコン２はメニュー画面を表示するための「メニュー」や、当該コンテ
ンツデータを編集するための「編集」等を高機能ボタン２０３に割り当て、コンテンツ再
生装置１が番組視聴中であれば、リモコン２は再生コンテンツの番組説明を表示させるた
めの「番組説明」やチャプタを編集するための「チャプタ」等を高機能ボタン２０３に割
り当てる。
【００２５】
即ち高機能ボタン２０３は、コンテンツ再生装置１の状態に応じた、ある種のショート
カットキーの役割を果たす。
表示部２０２が表示する機能表示２０２ａは、高機能ボタン２０３へ割り当てた機能を
表示するものであり、図１の例では、高機能ボタン２０３のうち、「Ｆ１」に「メニュー
」を、「Ｆ２」に「一覧」を、「編集」に「Ｆ３」を其々割り当てている。
【００２６】
尚、赤外線通信はリモコン２からコンテンツ再生装置１への片方向通信であるため、リ
モコン２は赤外線通信２ではステータス情報を取得することができない。よって、コンテ
ンツ再生装置１とのＢｌｕｅｔｏｏｔｈ通信をまだ開始していない場合には、リモコン２
は高機能ボタン２０３に機能を割り当てない。またこれに伴い、表示部２０２は機能表示
２０２ａを表示しない。
【００２７】
即ち、高機能ボタン２０３に係る信号をリモコン２は赤外線通信では送信せず、Ｂｌｕ
ｅｔｏｏｔｈ通信によりコンテンツ再生装置１へ送信する。リモコン２は例えばこのよう
な制御信号を、ＡＶＲＣＰで認められているベンダ依存の拡張コマンドとしてコンテンツ
再生装置１に送信する。
【００２８】
チャネルボタン２０４は、コンテンツ再生装置１でＴＶ放送を受信するチャネルを切り
換える際にユーザが操作するボタンである。
再生ボタン２０５及び停止ボタン２０６は、ユーザがコンテンツ再生装置１にコンテン
ツを其々再生及び停止させる際にユーザが操作するボタンである。
早送りボタン２０７及び巻戻しボタン２０８は、ユーザがコンテンツ再生装置１にコン
テンツを其々早送り及び巻戻しさせる際にユーザが操作するボタンである。
一時停止ボタン２０９は、コンテンツ再生装置１にコンテンツ再生を一時停止させる際
にユーザが操作するボタンである。
次コンテンツボタン２１０及び前コンテンツ２１１は、コンテンツ再生装置１があるコ
ンテンツ再生中に、例えば次のチャプタや前のチャプタに再生位置を移動させる際等にユ
ーザが操作するボタンである。
【００２９】
音量ボタン２１２は、コンテンツ再生装置１に出力音量を上下させる際にユーザが操作
するボタンである。
尚先述したように、電源ボタン２０１、チャネルボタン２０４、再生ボタン２０５、停
止ボタン２０６、早送りボタン２０７、巻戻しボタン２０８、一時停止ボタン２０９、次
コンテンツボタン２１０、前コンテンツボタン２１１、音量ボタン２１２へのユーザの操
作入力に伴う制御信号をＡＶ／Ｃコマンドとして、リモコン２は赤外線通信若しくはＢｌ
ｕｅｔｏｏｔｈ通信でコンテンツ再生装置１へ送信する。ＡＶ／Ｃコマンドを送信するＢ
ｌｕｅｔｏｏｔｈ通信のプロファイルは、先述の通りＡＶＲＣＰである。
【００３０】
タッチパッド２１３は、コンテンツ再生装置１上に表示されるカーソルを移動させる際
にユーザが操作するポインティングデバイスである。ポインティングデバイスとしては、
タッチパッド以外にも、例えばマウス、トラッキングボール等であってもよい。
【００３１】
尚、前述の通りタッチパッド２１３等のポインティングデバイスやキーボードの操作入
力に伴う制御信号も、リモコン２は赤外線通信及びＢｌｕｅｔｏｏｔｈ通信でコンテンツ
再生装置１へ送信する。これらの制御信号を送信するＢｌｕｅｔｏｏｔｈ通信のプロファ
イルは、先述の通りＨＩＤである。
【００３２】
次に、コンテンツ再生装置１及びリモコン２の構成を、図２を参照しながら説明する。
図２は、コンテンツ再生装置１及びリモコン２の構成を示す図である。
コンテンツ再生装置１は、ＣＰＵ（Ｃｅｎｔｒａｌ  Ｐｒｏｃｅｓｓｉｎｇ  Ｕｎｉｔ
）１１と、情報記憶部１２と、操作入力部１３と、出力部１４と、赤外線通信部１５と、
Ｂｌｕｅｔｏｏｔｈ通信部１６と、チューナ部１７とを構成要素として有する。
【００３３】
ＣＰＵ１１は、中央演算装置であり、プログラム（図示せず）を情報記憶部１２から読
み込み、コンテンツ再生装置１を構成する情報記憶部１２、情報入力部１３、出力部１４
、赤外線通信部１５、Ｂｌｕｅｔｏｏｔｈ通信部１６、チューナ部１７を制御する。
【００３４】
より具体的には例えば、ＣＰＵ１１は、赤外線通信部１５又はＢｌｕｅｔｏｏｔｈ通信
部１６で受信したリモコン２からの制御信号に従い、チューナ部１７で受信した放送の映
像を出力部１４である表示装置及びスピーカに出力したり、情報記憶部１２に記憶された
コンテンツデータを再生して出力部１４である表示装置及びスピーカに出力したりする。
【００３５】
情報記憶部１２は、具体的にはフラッシュメモリやＨＤＤ等であり、ＣＰＵ１１で実行
されるプログラム（図示せず）やＣＰＵ１１で再生するコンテンツデータである映像デー
タや音声データ、ユーザ設定等を記憶する。
【００３６】
操作入力部１３は、ユーザからの操作入力を受ける部分であり、具体的には電源ボタン
やタッチパネル等である。
出力部１４は、具体的には表示装置及びスピーカ等であり、ユーザに視聴させる映像や
音声を出力する。また、出力部１４は機器の状態やメニュー画面等もユーザに提示する。
【００３７】
赤外線通信部１５は、赤外線通信によりリモコン２からの制御信号を受信する、ＩｒＤ
Ａモジュールである。赤外線通信は、Ｂｌｕｅｔｏｏｔｈ通信に比べて通信開始までの時
間が短く、プロトコルが単純であり、また片方向通信である特徴を有する。また、通信可
能範囲もＢｌｕｅｔｏｏｔｈ通信に比べて狭い。
【００３８】
Ｂｌｕｅｔｏｏｔｈ通信部１６は、リモコン２との間で双方向無線通信であるＢｌｕｅ
ｔｏｏｔｈ通信を行う。Ｂｌｕｅｔｏｏｔｈ通信は、赤外線通信と比べて通信接続を行っ
て通信を開始するまでに要する時間が長く、プロトコルが複雑である。Ｂｌｕｅｔｏｏｔ
ｈ通信の方が赤外線通信よりも伝送速度が速く、通信可能範囲も広い。またＢｌｕｅｔｏ
ｏｔｈ通信は、接続するプロファイルの種類に応じて、多岐にわたるデータを伝送するこ
とができる。
【００３９】
尚、本実施例のＢｌｕｅｔｏｏｔｈ通信部１６は、ＨＩＤ、ＡＶＲＣＰ、ＦＴＰの各プ
ロファイルに対応している。
リモコン２は、ＣＰＵ２１と、情報記憶部２２と、操作入力部２３と、出力部２４と、
赤外線通信部２５と、Ｂｌｕｅｔｏｏｔｈ通信部２６とを構成要素として有する。
【００４０】
ＣＰＵ２１は、中央演算装置であり、プログラムを情報記憶部２２から読み込み、リモ
コン２を構成する情報記憶部２２、情報入力部２３、出力部２４、赤外線通信部２５、及
びＢｌｕｅｔｏｏｔｈ通信部２６を制御する。
【００４１】
より具体的には例えば、ＣＰＵ２１は、ユーザからの操作部２３への操作入力に応じて
、コンテンツ再生装置１への制御信号を赤外線通信部２５及びＢｌｕｅｔｏｏｔｈ通信部
２６の少なくとも一方でコンテンツ再生装置１に送信する。
【００４２】
またＣＰＵ２１は、Ｂｌｕｅｔｏｏｔｈ通信部２６で受信したコンテンツ再生装置１の
ステータス情報に応じて、出力部２４である表示部２０２に機能表示２０２ａを表示させ
る。
【００４３】
情報記憶部２２は、具体的にはフラッシュメモリやＨＤＤ等であり、ＣＰＵ２１で実行
されるプログラムや、コンテンツ再生装置１から受信したステータス情報に応じて高機能
ボタン２０３に割り当てる機能情報等を記憶する。
【００４４】
操作入力部２３は、ユーザからの入力を受ける部分であり、具体的には、電源ボタン２
０１、高機能ボタン２０３、チャネルボタン２０４、再生ボタン２０５、停止ボタン２０
６、早送りボタン２０７、巻戻しボタン２０８、一時停止ボタン２０９、次コンテンツボ
タン２１０、前コンテンツボタン２１１、音量ボタン２１２、及びタッチパッド２１３で
ある。
【００４５】
出力部２４は、具体的には表示部２０２やスピーカ等である。出力部２４は、機能表示
２０２ａや、コンテンツ再生装置１からＦＴＰにより受信したメッセージ、バッテリ情報
やコンテンツ再生装置１との接続状態をユーザに通知する。本実施例では、出力部２４と
してＬＣＤである表示部２０２を使用しているが、これに限られるものではなく、ＬＥＤ
の点灯、点滅やスピーカのビープ音等によりユーザに通知しても良い。
【００４６】
赤外線通信部２５は、被制御機器であるコンテンツ再生装置１の赤外線通信部１５へ制
御信号を送信する、ＩｒＤＡモジュールである。
Ｂｌｕｅｔｏｏｔｈ通信部２６は、コンテンツ再生装置１との間で双方向無線通信であ
るＢｌｕｅｔｏｏｔｈ通信を行う。Ｂｌｕｅｔｏｏｔｈ通信部２６は、先述の通り制御信
号をコマンド再生装置１へ送信すると共に、ステータス情報等をコンテンツ再生装置１か
ら受信する。
【００４７】
尚、本実施例のＢｌｕｅｔｏｏｔｈ通信部２６は、ＨＩＤ、ＡＶＲＣＰ、ＦＴＰの各プ
ロファイルに対応している。
次に、図３及び図４を参照しながら、リモコン２の処理の流れを説明する。図３及び図
４は、リモコン２の処理の流れを示すフローチャートである。尚、図３のフローチャート
の開始時点において、リモコン２のＢｌｕｅｔｏｏｔｈ通信部２６には給電されておらず
、コンテンツ再生装置１とのＢｌｕｅｔｏｏｔｈ通信は行っていない。また、コンテンツ
再生装置１は主電源がＯＦＦの状態であるが、赤外線通信部１５には給電されており、待
機状態である。
【００４８】
また、Ｂｌｕｅｔｏｏｔｈ通信に必要なＢｌｕｅｔｏｏｔｈデバイスアドレス等の情報
は事前に設定されており、Ｂｌｕｅｔｏｏｔｈ通信部１６及びＢｌｕｅｔｏｏｔｈ通信部
２６の双方が起動した後接続するものとする。
【００４９】
まず、ＣＰＵ２１は、赤外線通信部２５を待機状態とする（Ｓ３０１）。一方、先述の
通りＢｌｕｅｔｏｏｔｈ通信部２６は給電を受けていない。
次にＣＰＵ２１は、ユーザが電源ボタン２０１を押下する操作入力を行ったか否かを判
断する（Ｓ３０２）。もしユーザが電源ボタン２０１を押下していなければ（Ｓ３０２の
Ｎｏ）、赤外線通信部２５は待機状態を続ける。
【００５０】
ユーザが電源ボタン２０１を押下すれば（Ｓ３０２のＹｅｓ）、赤外線通信部２５はコ
ンテンツ再生装置１の電源を入れるコマンドである制御信号を赤外線通信部２５で送信す
る（Ｓ３０３）。またこれと共に、ＣＰＵ２１はＢｌｕｅｔｏｏｔｈ通信部２６への給電
を開始し、起動させる。
【００５１】
さらにＣＰＵ２１は、Ｂｌｕｅｔｏｏｔｈ通信部２６によるコンテンツ再生装置１との
通信が開始したか否か、即ちＢｌｕｅｔｏｏｔｈ通信部２６とコンテンツ再生装置１のＢ
ｌｕｅｔｏｏｔｈ通信部１６との間の、ＡＶＲＣＰやＨＩＤ等のプロファイルによる接続
が確立したか否かを判断する（Ｓ３０４）。
【００５２】
まだＢｌｕｅｔｏｏｔｈ通信部２６によるＢｌｕｅｔｏｏｔｈ通信を開始していない場
合には（Ｓ３０４のＮｏ）、ＣＰＵ２１は操作入力部２３への操作入力があったか否かを
判断する（Ｓ３０５）。もし操作入力部２３への操作入力がない場合には（Ｓ３０５のＮ
ｏ）、ＣＰＵ２１はＳ３０４の処理へ戻る。
【００５３】
もしＢｌｕｅｔｏｏｔｈ通信部２６による通信開始前にＳ３０５で操作入力部２３への
操作入力がある場合には（Ｓ３０５のＹｅｓ）、赤外線通信部２５はコンテンツ再生装置
１へ操作信号を送信する（Ｓ３０６）。これにより、Ｂｌｕｅｔｏｏｔｈ通信部２６が通
信を開始する前であっても、ユーザはチャネル切換やコンテンツの再生等の操作により、
コンテンツ再生装置１を制御することができる。
【００５４】
Ｓ３０４でＢｌｕｅｔｏｔｈ通信部２６がコンテンツ再生装置１とのＢｌｕｅｔｏｏｔ
ｈ通信を開始している場合には（Ｓ３０４のＹｅｓ）、ＣＰＵ２１は操作入力部２３への
操作入力があったか否かを判断する（図４のＳ４０１）。尚ここで、Ｓ４０１の判断時点
ではＢｌｕｅｔｏｏｔｈ通信部２６はＳｎｉｆｆモード（後述）でない通常モードのＢｌ
ｕｅｔｏｏｔｈ通信を行う。
【００５５】
もしＳ４０１で操作入力部２３への操作入力がある場合には（Ｓ４０１のＹｅｓ）、Ｂ
ｌｕｅｔｏｏｔｈ通信部２６はコンテンツ再生装置１へ制御信号を送信し（Ｓ４０２）、
ＣＰＵ２１はＳ４０１の処理に戻る。
【００５６】
Ｓ４０１で操作入力部２３への操作入力がない場合には（Ｓ４０１のＮｏ）、ＣＰＵ２
１は最後の操作入力から一定時間経過しているか否かを判断する（Ｓ４０３）。最後の操
作入力から未だ一定時間経過していない場合には（Ｓ４０３のＮｏ）、ＣＰＵ２１はＳ４
０１の処理へ戻る。
【００５７】
最後の操作入力部２３への操作入力から一定時間以上経過している場合には（Ｓ４０３
のＹｅｓ）、ＣＰＵ２１はＢｌｕｅｔｏｏｔｈ通信部２６の通信モードを、通常モードか
らＳｎｉｆｆモードに変更させる（Ｓ４０４）。このとき、Ｂｌｕｅｔｏｏｔｈ通信部２
６はコンテンツ再生装置１に対してＳｎｉｆｆモードへの移行要求を送信する。
【００５８】
尚、Ｓｎｉｆｆモード（省電力モード）とは、Ｂｌｕｅｔｏｏｔｈ通信部２６とＢｌｕ
ｅｔｏｏｔｈ通信部１６との間の接続を維持したまま、通常通信時（通常モード）よりも
長い周期で間欠的に通信するモードである。通信周期が長いので、Ｓｎｉｆｆモード時に
は通常モード時よりもＢｌｕｅｔｏｏｔｈ通信部１６及びＢｌｕｅｔｏｏｔｈ通信部２６
での消費電力は低減する。
【００５９】
即ち、一定時間以上ユーザが操作を行わなかった場合には、Ｂｌｕｅｔｏｏｔｈ通信部
２６の通信は省電力モードであるＳｎｉｆｆモードに移行するので、消費電力が低減する
。
【００６０】
ＣＰＵ２１は、操作入力部２３への操作入力があったか否かを判断する（Ｓ４０５）。
操作入力部２３への操作入力がない場合（Ｓ４０５のＮｏ）には、Ｓｎｉｆｆモードのま
ま、操作入力を待つ。
【００６１】
Ｓ４０５で操作入力部２３への操作入力があった場合には（Ｓ４０５のＹｅｓ）、赤外
線通信部２５及びＢｌｕｅｔｏｏｔｈ通信部２６の両方でコンテンツ再生装置１に対して
制御信号を送信する（Ｓ４０６）。このとき、同一の操作入力に対する制御信号であるこ
とをコンテンツ再生装置１に知らせるため、ＣＰＵ２１は、赤外線通信部２５から送信す
る制御信号及びＢｌｕｅｔｏｏｔｈ通信部２６から送信する制御信号に同一のトランザク
ションラベルを付与する。
【００６２】
赤外線通信は常に通信可能であるので、コンテンツ再生装置１に制御信号を送信するま
での所要時間が短いという利点がある。その一方で赤外線通信は、Ｂｌｕｅｔｏｏｔｈ通
信に比べ指向性が強く、また、通信距離が短いので、赤外線通信部２５だけで制御信号を
送信すると、コンテンツ再生装置１が当該制御信号を受信しない可能性がある。
【００６３】
Ｂｌｕｅｔｏｏｔｈ通信は、赤外線通信に比べて指向性が小さく、通信距離が長い利点
を有するだけでなく、コンテンツ再生装置１に制御信号が届くまで何度も制御信号を再送
するので、制御信号がコンテンツ再生装置１に届く確実性が高い。その一方で、Ｂｌｕｅ
ｔｏｏｔｈ通信部２６は、通信周期の長いＳｎｉｆｆモードでＳ４０６での通信を行って
おり、場合によっては制御信号をコンテンツ再生装置１が受信するまでに要する時間が長
くなることがある。
【００６４】
よって、赤外線通信部２５及びＢｌｕｅｔｏｏｔｈ通信部２６の双方で同一の制御信号
を送信することにより、お互いの課題を補い合うことができる。
またＣＰＵ２１は、赤外線通信部２５及びＢｌｕｅｔｏｏｔｈ通信部２６に制御信号を
送信させると共に、Ｂｌｕｅｔｏｏｔｈ通信部２６に、通常モードの通信に移行させる（
Ｓ４０６）。このとき、通常モードの通信要求をＢｌｕｅｔｏｏｔｈ通信部２６はコンテ
ンツ再生装置１へ送信する。通常モードへの移行することにより、当該移行完了後は、ユ
ーザによる操作の応答性を向上させることができる。
【００６５】
ＣＰＵ２１は、Ｂｌｕｅｔｏｏｔｈ通信部２６の通常モードへの移行が完了したか否か
を判断し（Ｓ４０７）、移行が完了すれば（Ｓ４０７のＹｅｓ）、Ｓ４０１の処理へ戻る
。
【００６６】
Ｓ４０７で通常モードへの移行がまだ完了していなければ（Ｓ４０７のＮｏ）、ＣＰＵ
２１はユーザによる操作入力があるか否かを判断する（Ｓ４０８）。操作入力がなければ
、ＣＰＵ２１は、Ｓ４０７の処理に戻る。
【００６７】
もし、通常モードへの移行前にユーザからの操作入力があれば（Ｓ４０８のＹｅｓ）、
Ｓ４０６と同様、赤外線通信部２５及びＢｌｕｅｔｏｏｔｈ通信部２６の両方でコンテン
ツ再生装置１に対して制御信号を送信する（Ｓ４０９）。このとき、同一の操作入力に対
する制御信号であることをコンテンツ再生装置１に知らせるため、ＣＰＵ２１は、赤外線
通信部２５から送信する制御信号及びＢｌｕｅｔｏｏｔｈ通信部２６から送信する制御信
号に同一のトランザクションラベルを付与する。
【００６８】
制御信号の送信後、ＣＰＵ２１はＳ４０７の処理へ戻る。
続いて、図５及び図６を参照しながら、コンテンツ再生装置１の処理の流れを説明する
。図５及び図６は、コンテンツ再生装置１の処理の流れを示すフローチャートである。尚
、図５のフローチャートの開始時点において、コンテンツ再生装置１の電源はＯＦＦ状態
であるが、赤外線通信部１５は給電を受けており、赤外線通信部１５の受光部（図示せず
）にリモコン２からの赤外線信号が届くのを待つ待機状態にある（Ｓ５０１）。
【００６９】
まずＣＰＵ１１は、リモコン２から電源ＯＮを示す制御信号（電源ＯＮ信号）を赤外線
通信部１５で受信したか否かを判断する（Ｓ５０２）。もしリモコン２から電源ＯＮ信号
を受信しなければ（Ｓ５０２のＮｏ）、赤外線通信部１５は待機状態を継続する。
【００７０】
赤外線通信部１５で電源ＯＮ信号である制御信号を受信すれば、ＣＰＵ１１は、コンテ
ンツ再生装置１の主電源をＯＮとし、例えばチューナ部１７で受信した映像を出力部１４
である表示装置に表示する等の処理を行う。またこれと共に、ＣＰＵ１１はＢｌｕｅｔｏ
ｏｔｈ通信部１６を起動させ、Ｂｌｕｅｔｏｏｔｈ通信部１６を探索可能モードとしたり
、さらにはリモコン２からの接続要求を受け、それに応答する処理である通信接続処理を
開始したりする（Ｓ５０３）。先述の通り、通信接続処理は一般に１０〜２０秒程度要す
る。
【００７１】
さらにＣＰＵ１１は、Ｂｌｕｅｔｏｏｔｈ通信部１６がリモコン２との通信を開始した
か否か、即ちＢｌｕｅｔｏｏｔｈ通信部１６とリモコン２との間のＡＶＲＣＰやＨＩＤ等
のプロファイルによる接続が確立したか否かを判断する（Ｓ５０４）。
【００７２】
もしＢｌｕｅｔｏｏｔｈ通信部１６による通信を開始していない場合には（Ｓ５０４の
Ｎｏ）、ＣＰＵ１１は赤外線通信部１５でコマンドである制御信号を受信したか否かを判
断する（Ｓ５０５）。もし赤外線通信部１５で制御信号を受信していない場合には（Ｓ５
０５のＮｏ）、ＣＰＵ１１はＳ５０４の処理へ戻る。
【００７３】
制御信号を赤外線通信部１５で受信した場合には（Ｓ５０５のＹｅｓ）、ＣＰＵ１１は
受信した制御信号に応じた処理、例えば情報記憶部１２に記憶したコンテンツデータの再
生、チューナ部１７で受信するチャネルの切換等を行う（Ｓ５０６）。これにより、Ｂｌ
ｕｅｔｏｏｔｈ通信部１６による通信開始前であっても、ＣＰＵ１１はリモコン２から受
信した制御信号による各種制御を行うことができる。
【００７４】
Ｓ５０４でＢｌｕｅｔｏｏｔｈ通信部１６がリモコン２とのＢｌｕｅｔｏｏｔｈ通信を
開始している場合には（Ｓ５０４のＹｅｓ）、ＣＰＵ１１はＢｌｕｅｔｏｏｔｈ通信部１
６で制御信号を受信したか否かを判断する（図６のＳ６０１）。尚ここで、Ｓ６０１の判
断時点においてＢｌｕｅｔｏｏｔｈ通信部１６はＳｎｉｆｆモードでない通常モードのＢ
ｌｕｅｔｏｏｔｈ通信をリモコン２との間で行っているものとする。
【００７５】
もしＳ６０１で制御信号を受信している場合には（Ｓ６０１のＹｅｓ）、ＣＰＵ１１は
当該制御信号に割り当てられているトランザクションラベルを見て、当該制御信号を処理
したか否かを判断する（Ｓ６０２）。先述の通り、リモコン２は赤外線通信とＢｌｕｅｔ
ｏｏｔｈ通信との両方で同じ操作入力に対応した制御信号を送信することがあるが、ＣＰ
Ｕ１１はこのトランザクションラベルを見ることにより、同じ操作入力に対応した処理を
２回重複して行うことを避けることができる。
【００７６】
もし、当該制御信号に対する処理を終えている場合（即ち、同じ操作入力に対する制御
信号を赤外線通信部１５で受信し、当該制御信号に応じた処理をＣＰＵ１１が終えている
場合）には（Ｓ６０２のＮｏ）、ＣＰＵ１１は受信した制御信号に対しては何もせずにＳ
６０１へ戻る。
【００７７】
Ｂｌｕｅｔｏｏｔｈ通信部１６で受信した制御信号に対する処理を終えていない場合に
は（Ｓ６０２のＹｅｓ）、ＣＰＵ１１は受信した制御信号に応じた処理を行い（Ｓ６０３
）、Ｓ６０１の処理へ戻る。
【００７８】
Ｓ６０１で、もしＢｌｕｅｔｏｏｔｈ通信部１６でリモコン２からの制御信号を受信し
ていない場合には（Ｓ６０１のＮｏ）、Ｂｌｕｅｔｏｏｔｈ通信部１６でリモコン２から
のＳｎｉｆｆモードへの移行要求を受信したか否かを判断する（Ｓ６０４）。Ｓｎｉｆｆ
モードとは、先述の通り通常モードよりも通信周期が長く、間欠的に通信を行うモードで
あり、リモコン２はＳｎｉｆｆモードに切り換えることで、通信に要する消費電力を抑制
することができる。
【００７９】
先述の通り、リモコン２は一定時間ユーザからの操作入力がなければＳｎｉｆｆモード
への移行要求をコンテンツ再生装置１に送信する。
もし、Ｂｌｕｅｔｏｏｔｈ通信部１６でＳｎｉｆｆモードへの移行要求を受信していな
ければ（Ｓ６０４のＮｏ）、ＣＰＵ１１はＳ６０１の処理へ戻る。
Ｂｌｕｅｔｏｏｔｈ通信部１６でＳｎｉｆｆモードへの移行要求をリモコン２から受信
し、Ｓｎｉｆｆモードでの通信をＢｌｕｅｔｏｏｔｈ通信部１６が行っている場合には（
Ｓ６０４のＹｅｓ）、ＣＰＵ１１は赤外線通信部１５で制御信号を受信したか否かを判断
する（Ｓ６０５）。
【００８０】
本実施例のリモコン２は通常モード時にはＢｌｕｅｔｏｏｔｈ通信でしか制御信号を送
信しないが、Ｓｎｉｆｆモード時には赤外線通信及びＢｌｕｅｔｏｏｔｈ通信の両方で制
御信号を送信するため、ＣＰＵ１１はＳ６０５でＳｎｉｆｆモード時には赤外線通信部１
５での制御信号の受信の有無を確認する必要がある。
【００８１】
赤外線通信部１５で制御信号を受信した場合には（Ｓ６０５のＹｅｓ）、ＣＰＵ１１は
当該制御信号に応じた処理を行う（Ｓ６０６）。
Ｓ６０６の処理の後、若しくはＳ６０５で制御信号を受信していなかった場合には（Ｓ
６０５のＮｏ）、ＣＰＵ１１はＢｌｕｅｔｏｏｔｈ通信部１６で、リモコン２から通常モ
ードへの移行要求を受信したか否かを判断する（Ｓ６０７）。通常モードへの移行要求を
受信していない場合には（Ｓ６０７のＮｏ）、Ｂｌｕｅｔｏｏｔｈ通信部１６での通信は
Ｓｎｉｆｆモードを維持したまま、ＣＰＵ１１はＳ６０５の処理へ戻る。
【００８２】
もし、Ｂｌｕｅｔｏｏｔｈ通信部１６でリモコン２から通常モードへの移行要求を受信
した場合には（Ｓ６０７のＹｅｓ）、Ｂｌｕｅｔｏｏｔｈ通信部１６は通信周期を通常モ
ードへ戻し、ＣＰＵ１１はＳ６０１の処理へ戻る。
【００８３】
以上説明したように、本実施例では、Ｂｌｕｅｔｏｏｔｈ通信が可能となるまでは少な
くとも、リモコン２は赤外線通信でチャネル切換、コンテンツ再生等の制御信号をコンテ
ンツ再生装置１へ送信する。赤外線通信部２５は、Ｂｌｕｅｔｏｏｔｈ通信部２６に比べ
、待機電力が小さく、通信手順も簡単であるため、コンテンツ再生装置１と通信を開始す
るまでの時間が短い。よって、本実施例では、Ｂｌｕｅｔｏｏｔｈ通信部２６での通信が
可能となるまでの間であっても、ユーザはリモコン２を操作することによりコンテンツ再
生装置１を制御することができる。
【００８４】
また、Ｂｌｕｅｔｏｏｔｈ通信の開始後リモコン２は、赤外線通信よりも通信速度が速
く、また指向性が低く通信可能範囲も広いＢｌｕｅｔｏｏｔｈ通信で制御信号を送信する
ので、ユーザの利便性を向上させることができる。
【００８５】
近年、コンテンツ再生装置１を含むＡＶ機器は多機能となり、メニューによるコマンド
選択等を伴うＧＵＩ（Ｇｒａｐｈｉｃａｌ  Ｕｓｅｒ  Ｉｎｔｅｒｆａｃｅ）を有するも
のが多い。このように複雑なＧＵＩでの操作性を向上させるため、本実施例では、リモコ
ン２はポインティングデバイスであるタッチパッド２１３を有し、タッチパッド２１３へ
の操作入力に応じた制御信号をＢｌｕｅｔｏｏｔｈ通信若しくは赤外線通信で送信するの
で、ユーザの操作性を向上させることができる。
【００８６】
特に、インターネット上のＷｅｂページを閲覧できるテレビ等でも、ＰＣと同様の操作
性を得ることができるので好適である。
尚、被制御装置であるコンテンツ再生装置１としては、デジタルテレビや、ＡＶ機能搭
載のＰＣ、ＤＶＤプレーヤ／レコーダ、ＨＤＤレコーダ等が考えられる。また、リモコン
２は、キーボード機能を搭載しても良い。
【００８７】
また、リモコン２としては、当該コンテンツ再生装置１に固有のリモコンのみならず、
他の装置と共有可能なリモコンや、又は制御信号を送信可能な携帯電話等であっても良い
。
【００８８】
尚本実施例では、リモコン２とコンテンツ再生装置１とは赤外線通信及びＢｌｕｅｔｏ
ｏｔｈ通信を行っているが、これに限られるものではない。例えば、８０２．１１ｘシリ
ーズのような無線ＬＡＮ、ＵＷＢ、ＺｉｇＢｅｅ、ＮＦＣ等の無線通信方式を用いること
も可能である。
【００８９】
但し、本実施例の赤外線通信に代わる通信方式（以下、第１の通信方式）は、本実施例
のＢｌｕｅｔｏｏｔｈ通信に代わる通信方式（以下、第２の通信方式）よりも通信開始ま
での時間が短く、プロトコルが単純であることが望ましい。より具体的には、例えば、第
１の通信方式は、無手順で接続可能であったり、片方向通信であったりする無線通信方式
が好適である。
【００９０】
また、第２の通信方式は、第１の通信方式に比して高機能であることが望ましい。より
具体的には、第２の通信方式としては、例えば、第１の通信方式よりも通信可能範囲が広
い、通信速度が速い、送信可能なデータの種類が豊富等の特徴のある無線通信方式が好適
である。
【図面の簡単な説明】
【００９１】
【図１】本発明の実施例１に係るリモコンが使用される無線通信システムの構成を示す図。
【図２】本発明の実施例１に係るリモコン及びコンテンツ再生装置の構成を示す図。
【図３】本発明の実施例１に係るリモコンの処理の流れを示す図。
【図４】本発明の実施例１に係るリモコンの処理の流れを示す図。
【図５】本発明の実施例１に係るリモコンと通信するコンテンツ再生装置の処理の流れを示す図。
【図６】本発明の実施例１に係るリモコンと通信するコンテンツ再生装置の処理の流れを示す図。
【符号の説明】
【００９２】
１・・・コンテンツ再生装置
２・・・リモコン
１１・・・ＣＰＵ
１２・・・情報記憶部
１３・・・操作入力部
１４・・・出力部
１５・・・赤外線通信部
１６・・・Ｂｌｕｅｔｏｏｔｈ通信部
１７・・・チューナ部
２１・・・ＣＰＵ
２２・・・情報記憶部
２３・・・操作入力部
２４・・・出力部
２５・・・赤外線通信部
２６・・・Ｂｌｕｅｔｏｏｔｈ通信部
２０１・・・電源ボタン
２０２・・・表示部
２０２ａ・・・機能表示
２０３・・・高機能ボタン
２０４・・・チャネルボタン
２０５・・・再生ボタン
２０６・・・停止ボタン
２０７・・・早送りボタン
２０８・・・巻戻しボタン
２０９・・・一時停止ボタン
２１０・・・次コンテンツボタン
２１１・・・前コンテンツボタン
２１２・・・音量ボタン
２１３・・・タッチパッド
【図１】
2007258984.tif 000003
【図２】
2007258984.tif 000004
【図３】
2007258984.tif 000005
【図４】
2007258984.tif 000006
【図５】
2007258984.tif 000007
【図６】
2007258984.tif 000008